(57)【要約】【課題】金属・プラスチック複合管に適用できる、強力な耐引抜力を発揮する管継手を提供する。【解決手段】被接続用パイプ１の端部１ａに挿入される挿入筒部３を有する継手本体２と、挿入筒部３に外嵌されたパイプ１の端部１ａを弾発的な締付力で締付けるためのスリット51付きのクランプリング５と、クランプリング５の弾発力に抗してクランプリング５を拡径するようにスリット51に離脱可能に挟持された拡径片６と、を備えている。そして、挿入筒部３とクランプリング５を包囲する包囲筒体10には、テーパ孔部35を形成する。クランプリング５がパイプ端部１ａと共に引き抜かれようとすると、包囲筒体10のテーパ孔部35に圧接して縮径するＣ字状ストップリング20を、内有させる。このストップリング20はクランプリング５に当接しながら、先端方向へ移動して縮径する。【選択図】図１
2008286259.tif 000002
【特許請求の範囲】
【請求項１】
被接続用パイプ（１）の端部（１ａ）に挿入される挿入筒部（３）を有する継手本体（２）と、上記挿入筒部（３）に外嵌された上記パイプ端部（１ａ）を弾発的に締付けるスリット（51）付きのＣ字状クランプリング（５）と、上記挿入筒部（３）を包囲状として上記継手本体（２）に取付けられてパイプ端部挿入空間（24）を形成する包囲筒体（10）とを、備えた管継手であって、
上記包囲筒体（10）には先端側にしだいに縮径するテーパ孔部（35）を形成し、かつ、上記クランプリング（５）が上記弾発的に締付けた上記パイプ端部（１ａ）と共に引き抜かれる先端方向移動をしたときに該クランプリング（５）に接触して先端方向へ押圧されて、上記包囲筒体（10）の上記テーパ孔部（35）に圧接して縮径し、上記パイプ端部（１ａ）の外周面に喰い込む係止爪（46）を有する合成樹脂製のＣ字状ストップリング（20）を具備したことを特徴とする管継手。
【請求項２】
上記挿入筒部（３）の外周面には、軸心と直交する直交面状の先端側面（47ａ）を有する係止凹溝（47）が形成され、上記パイプ端部（１ａ）の外周面に喰い込んだ上記ストップリング（20）の上記係止爪（46）の軸心方向位置と、上記係止凹溝（47）の軸心方向位置とを、一致するよう配設した請求項１記載の管継手。
【請求項３】
上記挿入筒部（３）の外周面には、軸心と直交する直交面状の先端側面（47ａ）を有する係止凹溝（47）が単数本幅広に形成されると共に、上記ストップリング（20）の上記係止爪（46）を複数本設けて、上記パイプ端部（１ａ）の外周面に喰い込んだストップリング（20）の複数本の上記係止爪（46）の軸心方向位置が、上記幅広の係止凹溝（47）の幅寸法（Ｗ47）内に対応するように構成した請求項１記載の管継手。
【発明の詳細な説明】
【技術分野】
【０００１】
本発明は、管継手に関する。
【背景技術】
【０００２】
給水や給湯用等のパイプを接続するための管継手は、従来、パイプの端部に挿入される挿入筒部を有する継手本体と、挿入筒部に外嵌されたパイプの端部を弾発的な締付力で締付けるためのスリット付きのクランプリングと、クランプリングの弾発力に抗して締付環体を拡径するように上記スリットに離脱可能に挟持されると共にパイプの挿入時に離脱する拡径片と、を備えたものが知られている（例えば、特許文献１参照）。
【０００３】
しかし、特許文献１の管継手では、適用パイプは、合成樹脂（プラスチック）製のものに限られていた。
即ち、被接続用パイプは、架橋ポリエチレンやポリブテン等の合成樹脂のものであり、上記挿入筒部の外周面に凹溝を形成しておけば、パイプ内面は凹溝になじむように変形して、大きな引抜力にも耐えることが可能であった。
また、この特許文献１に記載の管継手では、金属板を打ち抜いた菊座状（花弁形状）の抜止リングを使用していたが、被接続パイプが合成樹脂（プラスチック）であれば、菊座状（花弁形状）の板片状歯がパイプ外周面に喰い込んで、耐引抜力を増大させることも可能であった。
【０００４】
しかしながら、最近、給水や給湯等のパイプとしては、Ａｌ等の金属層をサンドイッチ状に有する金属・プラスチック複合パイプ（金属強化樹脂管ともいう）が使用されるようになりつつある。
このような金属・プラスチック複合パイプでは、パイプ端部をクランプリングの弾発力にて締付けた際、パイプ端部は容易に縮径方向に変形しない場合もあり、継手本体の挿入筒部に対して、十分なラジアル方向内方への押圧力にて、パイプ内周面が接触せず、何かの外力が作用すると、パイプ端部がクランプリングと共に、引き抜ける虞がある。
また、上述の板金製の菊座状（花弁形状）の抜止リングの板片状歯では、十分にパイプ端部外周面に深く喰い込む事があり、内層の金属層を破壊（突き破り）したり、異材種の金属の場合は接触して異種金属接触腐食（電池腐食）を発生するという問題も生じる。
【特許文献１】特開２００２−３１２８２号公報
【発明の開示】
【発明が解決しようとする課題】
【０００５】
解決しようとする課題は、金属・プラスチック複合管に対しても、安定した強力な引抜力を発揮しがたい点、及び、異種金属接触腐食を生じ耐久性に問題がある点である。
本発明は、このような課題を解決して、金属・プラスチック複合管にも適用可能であって、配管接続作業が容易かつ迅速に行うことができ、強力な引抜力を発揮すると共に、耐久性にも優れ、長期間にわたって優れた密封性を発揮する管継手を提供することを目的とする。
【課題を解決するための手段】
【０００６】
そこで、本発明は、被接続用パイプの端部に挿入される挿入筒部を有する継手本体と、上記挿入筒部に外嵌された上記パイプ端部を弾発的に締付けるスリット付きのＣ字状クランプリングと、上記挿入筒部を包囲状として上記継手本体に取付けられてパイプ端部挿入空間を形成する包囲筒体とを、備えた管継手であって、上記包囲筒体には先端側にしだいに縮径するテーパ孔部を形成し、かつ、上記クランプリングが上記弾発的に締付けた上記パイプ端部と共に引き抜かれる先端方向移動をしたときに該クランプリングに接触して先端方向へ押圧されて、上記包囲筒体の上記テーパ孔部に圧接して縮径し、上記パイプ端部の外周面に喰い込む係止爪を有する合成樹脂製のＣ字状ストップリングを具備している。
【０００７】
また、上記挿入筒部の外周面には、軸心と直交する直交面状の先端側面47ａを有する係止凹溝が形成され、上記パイプ端部の外周面に喰い込んだ上記ストップリングの上記係止爪の軸心方向位置と、上記係止凹溝の軸心方向位置とを、一致するよう配設したものである。
また、上記挿入筒部の外周面には、軸心と直交する直交面状の先端側面を有する係止凹溝が単数本幅広に形成されると共に、上記ストップリングの上記係止爪を複数本設けて、上記パイプ端部の外周面に喰い込んだストップリングの複数本の上記係止爪の軸心方向位置が、上記幅広の係止凹溝の幅寸法内に対応するように構成したものである。
【発明の効果】
【０００８】
金属・プラスチック複合管（金属強化樹脂管）に対しても、十分に適用可能な管継手であり、強力な耐引抜力を発揮でき、しかも、長期間にわたって安定して、その耐引抜力を維持できる。
特に、クランプリング及びストップリングとが協力して、極めて協力な耐引抜力を発揮する。
また、ストップリングが合成樹脂製（絶縁材）であるので、係止爪が喰い込んでも異種金属接触腐食を全く生じず、一層、長期間にわたって、安定した良好な接続状態を維持できる。
勿論、配管接続作業も容易かつ迅速に可能であり、パイプ端部を差込むだけで完了できる。
【発明を実施するための最良の形態】
【０００９】
以下、図示の実施の形態に基づき本発明を詳説する。
図１〜図11に於て、本発明に係る管継手50は、例えば、架橋ＰＥとＡｌと架橋ＰＥを積層形成した金属・プラスチック複合パイプ（金属強化樹脂管）１（図７〜図10参照）に適用可能なものである。２は継手本体で、その一端側には、被接続用パイプ１の端部１ａが挿入される挿入筒部３を有する。
【００１０】
４，４は２本のシール部材（Ｏリング等）で、継手本体２の挿入筒部３の凹周溝７，７に小間隔をもって装着（配設）される。５はＣ字状クランプリング（締付環体）で、バネ鋼等から成り、円周１箇所にスリット51を有し、このクランプリング５は、挿入筒部３に外嵌された、パイプ１の端部１ａを、図９と図10に示す如く、強力な面圧（絞り圧力）Ｐにて弾発的に押圧する（絞る）。
６は拡径片で、高剛性な鋼材から成り、クランプリング５の弾発力に抗して、クランプリング５を拡径するようにスリット51に離脱可能に、初期状態（パイプ未挿入受胎）では、図１と図４と図７に示す如く、挟持されている。つまり、クランプリング５は拡径片６によって、パイプ端部１ａが挿入可能な程度に拡径状態にある。
【００１１】
10は、挿入筒部３を包囲状として継手本体２に取付けられた包囲筒体（円筒状カバー体）であり、この包囲筒体（円筒状カバー体）10は、さらに、クランプリング５を収納保持している。具体的には、この包囲筒体10は、基端側の第１筒体11と、先端側の第２筒体12とから成る。第１筒体11と第２筒体12とは、図３から図１のように、拡径片６を挟持した状態のクランプリング５、及び、（後述の）抜止リング（ストップリング）20を内部に収納するように、ネジ結合13（図１，図７参照）、又は、熱融着や接着（図６参照）にて、一体に連結される。
【００１２】
第１筒体11は、ＰＡ（ポリアミド，ナイロン）又はＰＥＳ（ポリエーテルサルフォン）又はＰＣ（ポリカーボネート）等の透明樹脂から成るのが好ましく、拡径片６の離脱を、外から容易に視認できる。第２筒体12は、不透明でも良く、同様の合成樹脂としたり、又は、真鍮等の金属や、ポリフェニルサルフォン（ＰＰＳＵ）等のプラスチック複合材料とする。第１筒体11と第２筒体12を上記熱融着する場合は、同一乃至同質系の樹脂とするが、ネジ結合13の場合は、各々の材質の組み合わせは、自由である。
【００１３】
そして、クランプリング５について説明すると、均等幅寸法Ｗ15の基本帯部15と、スリット51と 180°反対に、中央頂部16が対応するように、低台形状（又は図示省略の低三角形状）の曲げ補強片部17が一体に連設される。即ち、スリット51と 180°反対の領域に於て、基本帯部15の一端縁（内方端縁）18に沿って、低台形状（乃至低三角形状）の曲げ補強片部17が、プレス加工等の塑性加工によって、一体成型されている。
なお、上記低台形状（又は低三角形状）の曲げ補強片部17は、 360°（全周）の内の約 150°〜 210°を占めるように、裾野を長く延伸するのが好ましい。言い換えると、図５に示した展開状態で、帯板状の基本帯部15の全長の約40％〜60％にわたって、一端縁（一辺）18に、曲げ補強片部17を一体に連設（形成）する。
【００１４】
さらに、円環Ｃ字状のこのクランプリング５の補強片部17の外面17ａは、基本帯部15の外周面15ａよりもラジアル方向外方へ突出するように（板材からの塑性加工等によって）形成されている。
拡径片６は、基本帯部15の上記一端円18と、スリット51を形成する両端縁８，８との、角部Ｒ，Ｒの間に、挟持されている。つまり、補強片部17が配設された一端縁18側に、拡径片６を対応させ、真円形を保ちつつ拡径させる。
また、図５に示す如く、クランプリング５は、その平面展開状態図に於て、基本帯部15の他端縁19は、ストレート状（直線状）である。言い換えると、図３と図11に示すように、クランプリング５は、円環Ｃ字状であって、その一端縁18には補強片部17が突出状であり、他端縁19は、軸心Ｌに直交する直交平面状である。
【００１５】
次に、包囲筒部10は、第１筒体11と第２筒体12とを連結して構成されるが、図１と図３に示すように、継手本体２の挿入筒部３の基部に連設される短筒部21の外周面の浅い凹周溝22に、第１筒体11の基部23が嵌着されて、継手本体１から軸心方向に引き抜けないように取着されている。
図１と図７，図８に示すように、包囲筒体10と挿入筒部３との間に先端開口状のパイプ端部挿入空間24を円環状に形成するが、上記包囲筒体10の内周面25は、クランプリング５の基本帯部15を保持する内径Ｄ27の中径部27と、ラジアル外方向外方へ突出した上記補強片部17を保持するための内径Ｄ28の大径部28と、内径Ｄ29の先端開口小径部29と、内径Ｄ26の取着用小径部26とを、備えている。そして、大径部28は中径部27よりも内方（基端側）に配設される。
【００１６】
即ち、（図６に示すように）取着用小径部26, 大径部28, 中径部27, 先端開口小径部29と、基部から先端に向かって順次、配設（形成）されている。そして、Ｄ28＞Ｄ27＞Ｄ29＞Ｄ26のように設定する。図６に示すように、拡径片６を挟持したクランプリング５の拡径ユニット状態に於て、基本帯部15の外径ｄ1 よりも中径部27の内径Ｄ27が僅かに大きく設定され、この中径部27は、略真円状の基本帯部15の外周面に、微小間隙をもって対応する。さらに、図６の右側のクランプリング５に２点鎖線にて示すように、軸心Ｌを中心として、補強片部17（の中央頂部16）に接する円を描いた場合の仮想円Ｎの外径ｄ2 よりも、大径部28の内径Ｄ28が僅かに大きく設定され、微小間隙をもって、仮想円Ｎは大径部28に対応する（図２（Ｂ）参照）。
【００１７】
ところで、相互にネジ結合や熱融着や接着にて連結される第１筒体11と第２筒体12について、さらに、説明すると、まず、第１筒体11は、段付部31を有し、前記取着用小径部26と、（先端開口状の）大径部28とが、軸心直交面状の段付部31にて区画形成されている。また、取着用小径部26は、係止低突条部32を有し、継手本体２の短筒部21の外周の凹周溝22に、回転可能かつ軸心方向引抜不可状態で、係合している。
第２筒体12は、第１筒体11の先端に外嵌（又は螺着）される嵌着部33と、段付部34と、前記中径部27と、先端縮径状テーパ孔部35と、先端開口小径部29と、パイプ誘導用面取部36を、順次有する。図１と図３でも分かるように、クランプリング５の基本帯部15の先端側が、第２筒体12の中径部27に対応して、保持される。なお、外周面は先端縮径テーパ面37を有し、第２筒体12全体が略先端縮径テーパ筒状であるといえる。
【００１８】
そして、図２と図３に示す如く、包囲筒体10の内周面25は、上記大径部28に於て、収納されたクランプリング５の内部方向への倒れを阻止するための突隆部38, 38を有している。さらに詳しく説明すれば、第２筒体12に於て、段付部31に基端が連設状として、２本の横断面山型の突隆部38, 38が軸心Ｌと平行に形成されている。この突隆部38, 38は、中心角25°〜50°の相互角度θをもって配設され（図２参照）、先端面38ａに、クランプリング５の基本帯部15の一端円18が当接する。しかも、図１と図２と図３に示すように、組立時（クランプリング５の収納組立時）に、２本の突隆部38, 38の間に、一端縁18から内方へ突出状の挟持状拡径片６を、配置する。このように組立てることによって、クランプリング５の基本帯部15へ一端縁18が、スリット51の近傍にて、突隆部38, 38（の先端面38ａ，38ａ）に当接して、かつ、補強片部17の中央頂部16が段付部31に当接して、空間24内で、クランプリング５の軸心が継手本体２の軸心と一致するように───倒れないように───保持される。このように、クランプリング５は、包囲筒体10の内部に、安定姿勢で、倒れずに、保持される。
【００１９】
そして、ストップリング20について説明する。１箇所に切れ目を有するＣ字形の全体形状であり、材質はＰＰＳＵ等の硬質の合成樹脂が好ましい。そして、このストップリング20は、外周面に、先端に縮径するテーパ面45を有すると共に、内周面には、複数本（図例では２本）の係止爪46, 46を有する。係止爪46は内端エッジが管継手内方を向いた三角山型である。つまり、軸心Ｌと直交する直交面状内端側面を有する三角山型に係止爪46の断面形状が設定されている。このストップリング20のテーパ面45は、包囲筒体10（の第２筒体12）のテーパ孔部35に対応するように、パイプ端部挿入空間24に収納される。図３に示すように、テーパ面45及びテーパ孔部35の傾斜角α，βは、各々、15°〜20°と、従来の角度よりも十分大きく設定する。これによって、第２筒体12の軸心方向寸法、及び、ストップリング20の幅寸法を、小さくすることができて、管継手の軸心方向寸法のコンパクト化に寄与する。
【００２０】
また、継手本体２の挿入筒部３の先端近傍には、軸心直交面を有する係止凹溝47, 47が形成されている。この係止凹溝47の軸心直交面を先端側に配設する。言い換えると係止凹溝47は、軸心直交面状の先端側面47ａを有する。これによって、パイプ１の引抜方向の外力が作用した際に、パイプ１の引抜けを阻止する力が増加する。なお、図10でも明らかなように、ストップリング20が絞られた状態で、係止爪46, 46に対応した軸心方向位置に、係止凹溝47，47が各々対応する。つまり、上記パイプ端部１ａの外周面に喰い込んだ上記ストップリング20の上記係止爪46の軸心方向位置と、上記係止凹溝47の軸心方向位置とを、一致するよう配設した。
また、図14は他の実施の形態の要部拡大図であり、図10と基本的構成は同様であるが、相違する点は、係止凹溝47を、幅寸法Ｗ47の大きい（幅広の）単数本としている点であり、これに伴って、複数本（図14では２本）の係止爪46の軸心方向位置が、幅広の係止凹溝47の幅寸法Ｗ47内に対応させている点である。
【００２１】
図10と図14に於て、矢印Ｐ20は、ストップリング20によるラジアル内方向の圧力を示す。この圧力Ｐ20は、第２筒体12のテーパ孔部35と、ストップリング20のテーパ面45との圧接によって発生する。
要するに、このストップリング20は、いわば抜止リングとして作用するＣ字状円環体であって、図９に示すように、クランプリング５がパイプ１に絞り圧力Ｐにて喰い付き、これで十分強力にパイプ１と管継手とは接続されているのではあるが、さらに、大きな外力が作用したような場合、図９から図10（又は図14）に示すように、パイプ１が抜け出してゆく虞があるが、ストップリング20は、そのときに、強力な圧力Ｐ20によって、パイプ抜け出しを阻止する。しかも、挿入筒部３の係止凹溝47に、変形したパイプ１の内面が喰い込んで、一層、パイプ抜け出しを強力に阻止できる。
【００２２】
ところで、図14のように、複数本の係止爪46に対応して、共通の（単数本の）係止凹溝47を対応させる理由とその作用効果につき以下説明する。
即ち、施行完了（図９参照）の後に、パイプ１が抜け出そうとした場合、クランプリング５がパイプ１と共に矢印Ｙ5 の方向に移動しつつストップリング20を押し、ストップリング20はテーパ孔部35からパイプ１を絞る方向（矢印Ｐ20参照）の力を受けて、パイプ１の外周面にラジアル方向内方への強い押圧力を与える。しかし、施行が完了していない段階において、かつ、少しでも早くパイプ１の抜け出しを阻止したいが為に、ストップリング20の係止爪46, 46の先端を、（図14のように）鋭利な形状として、かつ、複数本として、パイプ１への喰い付きを図っている。
係止爪46が単数本では、パイプ１を絞るための体積が不足するが、係止爪46を図14に示す如く２本（複数本）としたので、パイプ１の（係止凹溝47への）絞り込み量を確保できる。
【００２３】
そして、Ａｌ等の金属層48の存在によってパイプ１は係止爪46, 46でラジアル内方向へ矢印Ｐ20のように押しても、容易に縮径変形し難い（内周面に小凸条が形成し難い）。ところが、図14に示したように、幅広の幅寸法Ｗ47に、共通の単数本の係止凹溝47を設けることによって、内周面に小凸条が容易に形成され、係止凹溝47内へパイプ１の内面の小凸条が押し込まれて、軸心直交状の先端側面47ａにて強固にパイプ抜け止めを阻止できる。  しかも、このような構成により、（図14又は図10に示したように）パイプ抜け止め力は、ストップリング20から第２筒体12と第１筒体11を介する以外に、挿入筒部13をも介して、引き抜け力（引張り力）を、分散できる。このことで、合成樹脂製の第１筒体11・第２筒体12の耐久性を高める作用効果も発揮されることとなる。
【００２４】
なお、ストップリング20を合成樹脂（絶縁材）とすることにより、Ａｌ等の金属層48を内部にサンドイッチ状に積層した金属プラスチック複合管であっても、異種金属接触腐食（電池腐食）の発生を防止できる。また、管継手本体２の挿入筒部３の最先端には、段付51ａをもって小径外周部52が形成され、この小径外周部52には、さらに浅い凹周溝52ａが設けられる。
【００２５】
そして、この小径外周部52には、ガイドリング53が嵌着（外嵌）され、このガイドリング53によって、図７に示すように、パイプ１を差込む際───挿入筒部３をパイプ１に挿入する際、及び、挿入の後、長期間にわたって───センタリングの役目をなす。即ち、パイプ１の軸心と、継手本体２（挿入筒部３）の軸心Ｌが一致しつつ挿入可能に誘導案内し、かつ、接続完了の後に長期間にわたってセンタリングする。
これによって、Ｏリング等のシール部材４，４が 360°（全周）にわたって均等に圧縮されつつ、図７から図８のように、パイプ１の内周面に摺接（圧接）すると共に、その後、（仮にパイプ端部１ａ内周面と挿入筒部３外周面との間に微小間隙があったとしても、長期間にわたって、 360°（全周）に均等な圧縮率にてシール部材４，４が圧縮され、良好なシール性（密封性能）を発揮できる。
【００２６】
また、閉円環状のガイドリング53は、大径リップ54と小径リップ55を有し、（配管接続完了後の）給水・給湯使用状態で、水中の溶存酸素や塩素が、シール部材４に劣化促進等の悪影響を与えることを、防止できる。また、挿入ガイドリング53は、その最先端外周面に、先端側へ縮径する誘導テーパ部59を有している。
小径リップ55は、自由状態で、パイプ端部１ａの内径よりも（僅かに）大きく、接続状態でパイプ端部１ａの内周面に軽く接触する。大径リップ54は、パイプ端部１ａの内径よりも（十分）大きく（自由状態）、他方、図９と図10の接続状態では（同図に示す如く）内方へ略直角に弯曲変形する。なお、各リップ54, 55を各々増加することも自由である（図示省略）。
そして、このガイドリング53は、内方のシール材４，４よりも硬度が十分高いものとし、ゴム硬度ＨA 90以上が望ましい。また、引張降伏伸びが高く、図９や図10に示すように、90°に折曲げても割れない程度の柔軟性を有し、例えば、ＰＰやＰＥ、ＰＰＥ、ＰＶＤＦ等の樹脂とする。
【００２７】
このように、上記挿入ガイドリング53が、上記パイプ端部１ａの軸心と、上記挿入筒部３の軸心とを、一致させるセンタリング機能、及び、上記シール部材４への液体の浸入を阻止する副シール機能とを、兼用している。
【００２８】
図１に於て、継手本体２としては、雄ネジ部56を有する場合を示したが、本発明に於ては、これ以外に、複数の挿入筒部３を有するタイプ（従って図１の右半分の構造のものが複数備えているタイプ）や、エルボ型等の各種のタイプに適用できる。
また、図２と図４に示すように、挟持された拡径片６によって、スリット51が２本の突隆部38, 38の間に対応し、均等幅寸法Ｗ15の一端縁18が確実に突隆部38, 38にて、当接保持可能として、クランプリング５が、倒れずに、正規姿勢で包囲筒体10の内部に収納され、パイプ１の端部１ａがスムーズに挿入できる。
【００２９】
図４と図５に於て、スリット51がジグザグ状に形成されて、図９又は図10の状態下で、液体（水）が、パイプ１の端部１ａの内周面と、シール部材４の間を、（スリット51に対応した円周位置で）軸心方向に漏洩する（走る）のを、有効に阻止できる。具体的には、基本帯部15の長手方向の一端は、中央に突片57のある凸型であり、他端は、中央に凹部58を有する凹型に形成される。なお、図11では、このような突片57や凹部58を省略して（簡略化）して描いた図である。
【００３０】
図４と図１，図３からも分かるように、クランプリング５の保養片部17は、基本帯部15と、同一肉厚のままで、ラジアル方向外方へ塑性変形している。故に、この補強片部17の内面17ｂは常にパイプ端部１ａから微小寸法だけ遊離しており、図９又は図９に示したように、パイプ端部１ａを強く押圧した状態下で、基本帯部15のみが強く圧接（押圧）して、面圧（絞り圧力）Ｐは、高い値を保つ。
【００３１】
なお、図５に於て、基本帯部15の幅寸法Ｗ15と、中央頂部16に於ける最大幅寸法Ｗh との間には、次の関係式が成立する。
1.4×Ｗ15≦Ｗh ≦ 1.8×Ｗ15
【００３２】
図７に示すように、パイプ端部１ａを本管継手の開口端から挿入空間24へ挿入すると、パイプ内周面は、ガイドリング53に誘導案内（ガイド）されて、センタリングされながら、Ｏリング等のシール部材４，４を全周均一に弾性的に圧縮させつつ、図８の如く挿入して、パイプ先端面が拡径片６に衝突し、図９に示す如く、拡径片６はスリット51から離脱し、クランプリング５はそれ自身の弾発力にて縮径し、強い圧力Ｐにて、パイプ端部１ａの外周面を押圧して絞り、挿入筒部３に強固に外嵌状に固定される。
【００３３】
その後、大きな外力が作用した場合には、クランプリング５と共にパイプ端部１ａは、図９から図10のように、引き抜かれようとするが、このとき、クランプリング５の軸心直交面状の他端縁19がストップリング20の内端面に（均一な面圧で）押圧して、ストップリング20を同図の右方へ（開口端側へ）移動させ、テーパ孔部35とテーパ面45の摺接による絞り作用にて、強い圧力Ｐ20にてストップリング20の係止爪46, 46がパイプ端部１ａの外周面に喰い込みつつ、図10のようにパイプ端部１ａを変形させて、係止凹部47, 47と共に、強力な引抜力にて、抜け止め作用をなす。
【００３４】
ところで、図12は従来のクランプリング40を示し、（既述の如く）幅寸法Ｗ40が均一なため、スリット41近傍の剛性が大き過ぎて、スリット近傍領域42, 42は弾性変形せず、逆に、スリット反対領域43に集中的に曲げモーメントが（大きく）作用して塑性変形を起こし、図12（Ｄ）のように、クランプリング40の内面形状は、真円形から外れて、偏平円となって、その後のパイプ端部の挿入が困難となったり、拡径片がスリット41から離脱後、パイプ端部をラジアル方向に絞る圧力Ｐが、不均等となるという問題があった。
【００３５】
図13は、比較例を示し、そのような問題を解決するために、図12の自由状態の外径（内径）寸法をそのままで、幅寸法Ｗ60を、スリット反対領域63にて増加したクランプリング60であり、スリット反対領域63の塑性変形を防止できるが、しかし、スリット61の近傍のスリット近傍領域62, 62の変形が少なく、拡径状態の真円度が十分とは言えず、かつ、拡径片が離脱してパイプ端部を押圧する圧力Ｐも、未だ均等とは言えない。
これに対し、本発明では、図11に示すように、曲げ補強片部17の外周面17ａが、基本帯部15の外周面15ａよりもラジアル方向外方へ突出させたので、曲げモーメントに対する強度と剛性は、この補強片部17に於て、十分に増大し、これによって、図11（Ｄ）の如く、真円状に内面が拡径して、パイプ端部１ａの挿入をスムーズに可能とし、かつ、弾性拡径変形も全周にわたって均等化し、拡径片６が離脱して、図９（又は図10）のように、パイプ端部１ａを、圧力Ｐにて、押圧した状態で、全周にわたって略等しい均一な圧力をもって、締め付ける。言い換えれば、図11（Ｄ）のように弾性変形が全周にわたって均等となるように分散し、全周から均一の圧力Ｐにて縮径方向に弾発付勢する。それによって、シール部材４の密封性（シール性）が良好となる。
【００３６】
なお、本発明は図示の実施の形態に限らず設計変更自由である。例えば、クランプリング５の形状、拡径片６の形状、及び、相互の配設位置等は自由に変更できる。
本発明は、以上述べたように、被接続用パイプ１の端部１ａに挿入される挿入筒部３を有する継手本体２と、上記挿入筒部３に外嵌された上記パイプ端部１ａを弾発的に締付けるスリット51付きのＣ字状クランプリング５と、上記挿入筒部３を包囲状として上記継手本体２に取付けられてパイプ端部挿入空間24を形成する包囲筒体10とを、備えた管継手であって、上記包囲筒体10には先端側にしだいに縮径するテーパ孔部35を形成し、かつ、上記クランプリング５が上記弾発的に締付けた上記パイプ端部１ａと共に引き抜かれる先端方向移動をしたときに該クランプリング５に接触して先端方向へ押圧されて、上記包囲筒体10の上記テーパ孔部35に圧接して縮径し、上記パイプ端部１ａの外周面に喰い込む係止爪46を有する合成樹脂製のＣ字状ストップリング20を具備したので、クランプリング５でも耐え切れない強い引抜力が作用した際に、ストップリング20は、その引抜力に対して、強力な抵抗力を付与し、パイプ端部１ａと管継手との接続状態を、常に安定して確保（維持）する。特に、変形しにくい金属・プラスチック複合管（金属強化樹脂管）に対して、極めて好適な管継手であるといえる。さらに、Ａｌ等の金属層が中間に有する金属・プラスチック複合管に対して用いても、異種金属接触腐食は発生しない。
【００３７】
また、上記挿入筒部３の外周面には、軸心と直交する直交面状の先端側面47ａを有する係止凹溝47が形成され、上記パイプ端部１ａの外周面に喰い込んだ上記ストップリング20の上記係止爪46の軸心方向位置と、上記係止凹溝47の軸心方向位置とを、一致するよう配設したので、（図10に示すように、）係止爪46, 46にてラジアル方向内方へ変形したパイプ端部１ａの内面が係止凹溝47, 47に侵入して、一層強力な耐引抜力を発揮する。そして、直交面状の先端側面47ａによって、上記の侵入した、パイプ端部１ａの内面は、強く係止して、さらに強い耐引抜力となる。
【００３８】
また、上記挿入筒部３の外周面には、軸心と直交する直交面状の先端側面47ａを有する係止凹溝47が単数本幅広に形成されると共に、上記ストップリング20の上記係止爪46を複数本設けて、上記パイプ端部１ａの外周面に喰い込んだストップリング20の複数本の上記係止爪46の軸心方向位置が、上記幅広の係止凹溝47の幅寸法Ｗ47内に対応するように構成したので、Ａｌ等の金属層48を有する金属・プラスチック複合管（金属強化樹脂管）に適用した場合、ラジアル内方向へ変形してパイプ１内周面に小凸条が形成し易く───即ち、幅広の係止凹溝47へ小凸条として侵入し易く───、かつ、複数本の係止爪46にて十分な体積の小凸条が容易に形成できて、強力な引抜力が発揮できる。
【図面の簡単な説明】
【００３９】
【図１】本発明の実施の一形態を示す縦断面図である。
【図２】構成部品の要部断面図である。
【図３】分解状態の断面説明図である。
【図４】クランプリングの一例の斜視図である。
【図５】クランプリングの平面展開状態図である。
【図６】要部構成説明図である。
【図７】パイプ挿入状態を示す要部拡大断面図である。
【図８】パイプ挿入の完了直前状態を示す要部拡大断面図である。
【図９】接続完了状態を示す要部拡大断面図である。
【図１０】引抜力が作用した状態を示す要部拡大断面図である。
【図１１】本発明に係るクランプリングの説明のための図であって、（Ａ）は正面図、（Ｂ）は側面図、（Ｃ）は斜視図、（Ｄ）は拡径状態の正面図である。
【図１２】従来のクランプリングの説明のための図であって、（Ａ）は正面図、（Ｂ）は側面図、（Ｃ）は斜視図、（Ｄ）は拡径状態の正面図である。
【図１３】比較例のクランプリングの説明のための図であって、（Ａ）は正面図、（Ｂ）は側面図、（Ｃ）は斜視図、（Ｄ）は拡径状態の正面図である。
【図１４】引抜力が作用した状態を示す他の実施の形態の要部拡大断面図である。
【符号の説明】
【００４０】
１  パイプ
１ａ  端部
２  継手本体
３  挿入筒部
４  シール部材
５  クランプリング
６  拡径片
７  凹周溝
８  端縁
10  包囲筒体
15  基本帯部
15ａ  外周面
17  補強片部
17ａ  外面
18  一端縁
19  他端縁
20  ストップリング（抜止リング）
24  パイプ端部挿入空間
25  内周面
27  中径部
28  大径部
29  先端開口小径部
35  テーパ孔部
38  突隆部
46  係止爪
47  係止凹溝
47ａ  先端側面
51  スリット
52  小径外周部
53  ガイドリング
54  大径リップ
55  小径リップ
59  誘導テーパ部
Ｒ  角部
Ｗ15  均等幅寸法
【図１】
2008286259.tif 000003
【図２】
2008286259.tif 000004
【図３】
2008286259.tif 000005
【図４】
2008286259.tif 000006
【図５】
2008286259.tif 000007
【図６】
2008286259.tif 000008
【図７】
2008286259.tif 000009
【図８】
2008286259.tif 000010
【図９】
2008286259.tif 000011
【図１０】
2008286259.tif 000012
【図１１】
2008286259.tif 000013
【図１２】
2008286259.tif 000014
【図１３】
2008286259.tif 000015
【図１４】
2008286259.tif 000016